(57)【要約】【課題】ドクターブレードの裏面側に回り込んだ異物が侵入して内部に堆積することに起因して発生する弊害を回避可能な機構を備えたドクター装置を提案すること。【解決手段】ドクター装置１は、ドクターブレード２と、その後端部２１を保持しているブレードホルダー３とを有し、ドクターブレード２の前端部に形成した刃先２２を異物掻き取り対象のロール５の表面５１に圧接させた状態で当該ロール５を回転することにより、当該ロール５の表面に付着した異物を掻き取る動作を行う。ドクター装置１は、ブレードホルダー３のロール５の表面５１に対峙する前側部分を当該ロール５の表面５１に対して覆い隠す状態に配置されているカバーリングプレート６を有し、その前端部６１がドクターブレード２に当接し、その後端部６２がブレードホルダー３に保持されている。【選択図】図１
2013079456.tif 000002
【特許請求の範囲】
【請求項１】
ドクターブレード（２）と、当該ドクターブレード（２）の後端部（２１）を保持しているブレードホルダー（３）とを有し、前記ドクターブレード（２）の前端部に形成した刃先（２２）を異物掻き取り対象のロール（５）の表面（５１）に圧接させた状態で当該ロール（５）を回転することにより、当該ロールの表面（５１）に付着した異物を掻き取るドクター装置（１、１Ａ）において、
前記ブレードホルダー（３）における前記ロールの表面（５１）に対峙する前側部分を当該ロールの表面（５１）に対して覆い隠す状態に配置されているカバーリングプレート（６、１０）を有しており、
前記カバーリングプレート（６）の前端部（６１）は、前記ドクターブレード（２）が前記ロールの表面（５１）に圧接された状態において、当該ドクターブレード（２）における前記刃先（２２）と前記後端部（２１）の間の部位に当接可能であり、
前記カバーリングプレート（６、１０）の後端部（６２）は、前記ブレードホルダー（３）に取り付けられていることを特徴とするドクター装置（１、１Ａ）。
【請求項２】
請求項１において、
前記カバーリングプレート（６）の後端部（６２）は、前記ブレードホルダー（３）に形成したプレート保持溝（７）に抜き差し可能な状態で装着されていることを特徴とするドクター装置（１）。
【請求項３】
請求項２において、
前記カバーリングプレート（６）の後端部（６２）は、前記ドクターブレード（２）の刃先（２２）の刃筋方向に平行な方向に抜き差し可能な状態で前記プレート保持溝（７）に装着されていることを特徴とするドクター装置（１）。
【請求項４】
請求項３において、
前記カバーリングプレート（６）の後端部（６２）には、前記プレート保持溝（７）に対する前記カバーリングプレート（６）の抜き差し方向に沿って所定の間隔で、ガイド用突起（９）が形成あるいは取り付けられており、
前記ガイド用突起（９）は、前記プレート保持溝（７）内を前記抜き差し方向にスライド可能であることを特徴とするドクター装置（１）。
【請求項５】
請求項１ないし４のうちのいずれかの項において、
前記カバーリングプレート（６）はステンレススチール製の板材から形成したものであることを特徴とするドクター装置（１）。
【請求項６】
請求項１ないし５のうちのいずれかの項において、
前記ブレードホルダー（３）は、前記ドクターブレード（２）の後端部（２１）が抜き差し可能な状態で装着されているブレード保持溝（３０）と、前記ドクターブレード（２）を前記ロールの表面（５１）に圧接した状態および当該表面（５１）から離した開放状態に切り替えるための一対のエアーチューブ（３６、３７）が装着されているチューブ装着部とを備えており、
前記カバーリングプレート（６）によって、前記ブレード保持溝（３０）および前記チューブ装着部が覆い隠されていることを特徴とするドクター装置（１）。
【請求項７】
請求項１ないし６のうちのいずれかの項に記載のドクター装置（１、１Ａ）の使用方法であって、
前記ロール（５）の下側に前記ドクター装置（１、１Ａ）を配置し、
前記ドクターブレード（２）および前記ブレードホルダー（３）が上方あるいは斜め上方を向く姿勢で、前記ロールの表面（５１）からの異物の掻き取りを行うことを特徴とするドクター装置の使用方法。
【発明の詳細な説明】
【技術分野】
【０００１】
本発明は、抄紙機ロール、製鉄用ロールなどのロールの表面に付着した紙粕などの異物を掻き取るために用いられるドクター装置に関し、異物がロールの表面側からドクター装置の内部に侵入して溜まってしまうことを防止できる機構を備えたドクター装置に関する。
【背景技術】
【０００２】
抄紙機に使用されているドクター装置は、抄紙機ロールの表面に圧接されるドクターブレードと、このドクターブレードをロールの表面に圧接した圧接位置およびロールの表面から離した開放位置に揺動可能な状態で保持しているブレードホルダーと、このブレードホルダーを支持しているドクターバックから基本的に構成されている。ドクターブレードの刃先を一定の圧接力で回転するロールの表面に押し付けることで、ロールの表面に付着している紙粕等の異物を当該表面から掻き取ることができる。
【０００３】
ドクターブレードによってロールの表面から掻き取られた異物がドクターブレードの上面（異物掻き取り対象のロールの回転方向における上流側を向く表面）などに溜まると、ドクターブレードの刃先とロールの表面の間に異物が挟まり、異物の掻き取り性能が低下するなどの弊害が発生する。そこで、特許文献１においては、ドクターブレードの上面からドクターバックに形成した異物排出用のパイプに向かう異物排出経路を形成して、ドクターブレードの上面から効率良く異物を除去できるようにしている。また、特許文献２では、ドクターブレードの刃先近傍に向けて液体を吹き付けて、ロールの表面から掻き取られた異物をドクターブレードの表面から洗い流すようにしている。
【先行技術文献】
【特許文献】
【０００４】
【特許文献１】特開２００６−２０７０６２号公報
【特許文献２】特開２００３−２２１７９３号公報
【発明の概要】
【発明が解決しようとする課題】
【０００５】
ここで、ドクターブレードによってロールの表面から掻き取られた異物が、ドクターブレードの刃先とロールの表面の間を通り過ぎて、ドクターブレードの裏面側に回り込む場合がある。また、ドクターブレードによって掻き取られなかった異物も、ロールの回転に伴って、ドクターブレードの刃先とロールの表面の間を通り過ぎてドクターブレードの裏面側に移動する。このような異物は、ドクターブレードの裏面側において、ドクターブレードの裏面あるいはロールの表面から落下し、あるいは、ドクターブレードの裏面に沿って移動して、ブレードホルダー内に侵入する場合がある。ドクター装置の長期使用によって、ブレードホルダーに侵入してブレードホルダー内に溜まった異物の量が増えると、それに起因して各種の不具合が発生する。
【０００６】
例えば、図４に示すように、異物掻き取り対象のロール１００の下側に、斜め上向きの姿勢でドクター装置１０１が配置されている場合がある。ドクター装置１０１は、例えば、特許文献１に記載されているように、ドクターブレード１０２と、その後端が抜き差し可能な状態で差し込まれている保持溝１０３を備えたブレードホルダー１０４と、これを支持しているドクターバック１０５を備えている。ブレードホルダー１０４は支軸１０６を中心としてドクターブレード１０２をロール１００の表面１０７に押し付けるための加圧用エアーチューブ１０８と、ドクターブレード１０２を表面１０７から離すための開放用エアーチューブ１０９とが備わっている。この場合には、ブレードホルダー１０４におけるロール１００の表面１０７に対峙している前側部分において、ロール１００の表面１０７に向けて保持溝１０３が開口していると共に開放用エアーチューブ１０９の装着部分が開口している。
【０００７】
この場合、ドクターブレード１０２で掻き取られた紙粕などの異物１１０のうち、ドクターブレード１０２の刃先とロール１００の表面１０７の間を通ってドクターブレード１０２の裏面側に回り込んだものは、ドクターブレード１０２の裏面に沿ってブレードホルダー１０４の側に移動あるいは落下する。これらの異物の一部は、ブレードホルダー１０４の保持溝１０３、開放用エアーチューブ１０９の装着部分に侵入し、これらの部分の内部に溜まる。これらの部分の内部に溜まる異物の量が多くなると、保持溝１０３に対するドクターブレード１０２の抜き差しが困難あるいは不可能になることがある。また、支軸１０６を中心としてドクターブレード１０２を加圧方向および開放方向に揺動させることが困難あるいは不可能になることがある。
【０００８】
このような弊害は、図４に示すようにロール１００の真下にドクター装置が上向き姿勢あるいは斜め上向き姿勢で配置されている場合に発生しやすい。しかしながら、ドクター装置１０１を異物掻き取り対象のロール１００の横あるいは上側に配置した場合においても、掻き取られた後の異物がドクターブレード１０２の裏面等に沿ってブレードホルダー１０４の側に移動して、その内部に侵入して同様な弊害が発生する可能性がある。
【０００９】
従来においては、ドクターブレードの上面に溜まった掻き取り後の異物処理については各種の対策が提案されているが、ドクターブレードの裏面側においてブレードホルダーの内部に侵入する異物については着目されておらず、このような異物を処理するための対策についても提案されていない。
【００１０】
本発明の課題は、この点に鑑みて、ドクターブレードの裏面側においてブレードホルダーに侵入する異物に起因する弊害を防止可能な機構を備えたドクター装置を提案することにある。
【課題を解決するための手段】
【００１１】
上記の課題を解決するために、本発明は、ドクターブレードと、当該ドクターブレードの後端部を保持しているブレードホルダーとを有し、前記ドクターブレードの前端部に形成した刃先を異物掻き取り対象のロールの表面に圧接させた状態で当該ロールを回転することにより、当該ロールの表面に付着した異物を掻き取るドクター装置において、
前記ブレードホルダーにおける前記ロールの表面に対峙する前側部分を当該ロールの表面に対して覆い隠す状態に配置されているカバーリングプレートを有しており、
前記カバーリングプレートの前端部は、前記ドクターブレードが前記ロールの表面に圧接された状態において、当該ドクターブレードにおける前記刃先と前記後端部の間の部位に当接可能であり、
前記カバーリングプレートの後端部は、前記ブレードホルダーに取り付けられていることを特徴としている。
【００１２】
本発明のドクター装置では、そのブレードホルダーの前側部分が、ドクターブレードに前端部を当接可能なカバーリングプレートによって覆い隠されている。したがって、ドクターブレードの裏面側において、異物がブレードホルダーの内部に侵入することが阻止される。よって、ブレードホルダーの内部に異物が侵入して溜まることによって引き起こされる弊害を回避できる。
【００１３】
ここで、カバーリングプレートの取付け・取り外し作業、メンテナンス等の容易化の観点からは、前記カバーリングプレートの後端部を、前記ブレードホルダーに形成したプレート保持溝に抜き差し可能な状態で装着しておくことが望ましい。
【００１４】
この場合には、前記カバーリングプレートの後端部を、前記ドクターブレードの刃先の刃筋方向に平行な方向に抜き差し可能な状態で前記プレート保持溝に装着しておくことが望ましい。
【００１５】
さらに、カバーリングプレートの抜き差しを容易に行うことができるように、前記カバーリングプレートの後端部に、前記プレート保持溝に対するカバーリングプレートの抜き差し方向に沿って所定の間隔でガイド用突起を設け、これらのガイド用突起を、プレート保持溝内を前記抜き差し方向にスライド可能な大きさ、形状にしておけばよい。
【００１６】
次に、カバーリングプレートの素材としてゴム素材などの素材を用いると、摩耗量が多いので寿命が短く、破損しやすいので、耐久性に乏しい。耐久性が要求される場合には、カバーリングプレートをステンレススチール製の板材から形成することが望ましい。
【００１７】
また、本発明のドクター装置は、ドクターブレードの加圧、開放用のエアーチューブを備えたドクター装置を上向き姿勢あるいは斜め上向き姿勢で異物掻き取り対象のロールの下側に配置した状態で異物掻き取り動作を行う場合に用いることができる。
【図面の簡単な説明】
【００１８】
【図１】本発明を適用したドクター装置の一例を示す説明図である。
【図２】図１のドクター装置を裏面側から見た場合の説明図である。
【図３】ゴム製のカバーリングプレートを備えたドクター装置を示す説明図である。
【図４】従来のドクター装置における問題点を示す説明図である。
【発明を実施するための形態】
【００１９】
以下に、図面を参照して本発明を適用したドクター装置の実施の形態を説明する。
【００２０】
図１（ａ）は本発明の実施の形態に係るドクター装置を示す説明図であり、図１（ｂ）はその部分拡大図である。図２はドクター装置のドクターブレードおよびブレードホルダーを裏面側から見た場合の説明図であり、カバーリングプレートを引き抜く途中の状態あるいは差し込む途中の状態を示してある。
【００２１】
これらの図を参照して説明すると、ドクター装置１は、ドクターブレード２と、このドクターブレード２の後端部２１を保持しているブレードホルダー３と、ブレードホルダー３を支持しているドクターバック４と、ブレードホルダー３における異物掻き取り対象のロール５の円筒状の表面５１に対峙する前側部分を覆い隠しているカバーリングプレート６とを備えている。
【００２２】
ドクターブレード２は、例えばロール５の面長（ロールの中心軸線方向の長さ）とほぼ同一長さの長方形をした一定厚さのものであり、例えばステンレススチール製の板材から形成されている。ドクターブレード２におけるロール５に面している前端部（前側の長辺縁部分）には刃先２２が形成されており、反対側の長辺縁部分である後端部２１がブレードホルダー３によって保持されている。
【００２３】
ブレードホルダー３は、ロール５の中心軸線の方向に長い長方形のトッププレート３１を備えている。トッププレート３１の裏面には複数本のフィンガー部材３２が取り付けられている。フィンガー部材３２はトッププレート３１の短辺方向に延びる状態に配置されていると共に、トッププレート３１の長辺方向に沿って一定の間隔で配列されている。トッププレート３１の前端部とフィンガー部材３２の前端部の間に、前方（ロール５に向かう方向）に開口したブレード保持溝３０が形成されている。このブレード保持溝３０に、ドクターブレード２の後端部２１が抜き差し可能な状態で装着されている。
【００２４】
各フィンガー部材３２における前後方向（トッププレート３１の短辺方向）の中程の部位には軸穴が形成されており、これらの軸穴には支軸３３が通されている。支軸３３は、フィンガー部材３２に対して一定の間隔を開けて配置されているボトムプレート３４によって支持されている。ボトムプレート３４もロール５の中心軸線の方向に長い長方形の板材であり、その長辺方向の両端に取り付けた支軸受け３５（図１において想像線で示す部材）によって支軸３３がボトムプレート３４の長辺方向に平行に延びる状態で支持されている。ボトムプレート３４はドクターバック４に固定されている。
【００２５】
フィンガー部材３２とボトムプレート３４の間はチューブ装着部となっており、ここには、支軸３３の前側に開放用エアーチューブ３６が配置され、支軸３３の後側に加圧用エアーチューブ３７が配置されている。開放用エアーチューブ３６および加圧用エアーチューブ３７は可撓性シート素材から形成されており、支軸３３と平行に延びている。不図示のエアー供給制御機構によって、加圧用エアーチューブ３７に圧縮空気が供給されて当該加圧用エアーチューブ３７が膨張すると、支軸３３を中心としてブレードホルダー３がロール５の表面５１に押し付けられる方向に揺動し、ドクターブレード２の刃先２２を所定の圧接力でロール５の表面５１に押し付けた状態を形成できる。逆に、不図示のエアー供給制御機構によって、加圧用エアーチューブ３７から圧縮空気を排出し、開放用エアーチューブ３６に圧縮空気を供給すると、ドクターブレード２の刃先２２がロール５の表面５１から離れた開放状態を形成できる。
【００２６】
ドクターバック４は、ブレードホルダー３の長辺方向の長さよりも長い幅寸法のものであり、その上面４１の前側部分にブレードホルダー３のボトムプレート３４が取り付けられており、その長辺方向の両端面４２には軸部４３が取り付けられている。両端の軸部４３は不図示の固定側支持部材によって回転可能な状態で支持されており、当該軸部４３を中心として、その前側部分をロール５の表面５１に対して接近する方向および離れる方向に揺動可能である。ドクターバック４をロール５から離れる方向に揺動させて、ドクターブレード２の交換作業などを行うことができる。また、ドクターバック４を逆にロール５の側に接近する側の位置に揺動させ、その位置でドクターバック４をターンバックル等によって固定し、加圧用エアーチューブ３７を膨張させることにより所定の圧接力でドクターブレード２の刃先２２をロール５の表面５１に圧接した状態を形成できる。
【００２７】
カバーリングプレート６は、ドクターブレード２の長辺方向の長さとほぼ同一の長さ寸法の長方形の板材から形成されており、本例ではステンレススチール製の板材から形成されている。カバーリングプレート６の前端部６１（ロール５の側に面している長辺縁部分）はドクターブレード２の裏面２ｂに当接可能な位置にある。すなわち、ドクターブレード２をロール５の表面５１に圧接した状態を形成すると、カバーリングプレート６の前端部６１がドクターブレード２の裏面２ｂに当接あるいは所定の圧接力で圧接した状態が形成されるようになっている。カバーリングプレート６の後端部６２（ロール５とは反対側の長辺縁部分）はブレードホルダー３に形成したプレート保持溝７に保持されている。
【００２８】
プレート保持溝７は、ブレードホルダー３のボトムプレート３４の前端部３４ａと、ここに取り付けたＬ型断面の保持部材８の間に形成されている。保持部材８はボトムプレート３４の前端部３４ａに沿ってその長辺方向に延びる細長い部材であり、プレート保持溝７の底面を規定している底板部分８１と、この底板部分８１の端から直交方向（前端部３４ａと平行な方向）に延びている側板部分８２とを備えている。側板部分８２の先端はボトムプレート３４の前端部３４ａの側に直角に折れ曲がった顎部８３となっている。プレート保持溝７はドクターブレード２の裏面２ｂに向かう方向に開口しており、顎部８３によって、溝幅が開口側で狭くなっている。
【００２９】
図２から分かるように、プレート保持溝７は、その長さ方向の両端における少なくとも一方の端が側方に開口端７１となっている。カバーリングプレート６の後端部６２の裏面部分６ｂには、その長さ方向に沿って一定の間隔で円盤状のガイド用突起９が取り付けられている。これらのガイド用突起９は、プレート保持溝７の内部をその長さ方向にスライド可能な大きさ、形状に設定されている。したがって、カバーリングプレート６は、プレート保持溝７に沿って横方向にスライドさせて、開口端７１からプレート保持溝７に対して抜き差し可能となっている。
【００３０】
プレート保持溝７に対して開口端７１からカバーリングプレート６を差し込んだ後に、加圧用エアーチューブ３７を膨張させて支軸３３を中心としてドクターブレード２をロール５の表面５１に圧接する方向に旋回すると、ドクターブレード２の裏面２ｂがカバーリングプレート６の前端部６１に当接した状態になる。ドクターブレード２を更に同一方向に旋回させて刃先２２を所定の圧接力でロール５の表面５１に圧接すると、カバーリングプレート６は、その後端部６２の裏面側の部位が保持部材８の顎部８３によって支持され、その後端縁がボトムプレート３４の前端部３４ａに押し付けられ、その前端部６１がドクターブレード２の裏面２ｂに圧接した状態になる。この結果、ブレードホルダー３の前側部分がカバーリングプレート６によってロール５に対して覆い隠された状態が形成される。
【００３１】
この状態で図１において矢印Ａで示す方向にロール５が回転すると、その表面５１に圧接しているドクターブレード２の刃先２２によってロール５の表面５１から異物が掻き取られる。掻き取られた異物はドクターブレード２の表面２ａに沿って落下する。ドクターブレード２によって掻き取られずにドクターブレード２の刃先２２を通過した後の異物、あるいは、掻き取られた後の異物の一部は、ドクターブレード２の裏面側に移動する。このような異物がドクターブレード２の裏面側において落下しても、当該異物がブレードホルダー３の内部に侵入して堆積してしまうことがない。
【００３２】
すなわち、ブレードホルダー３の前側部分がカバーリングプレート６によって覆われており、ドクターブレード２の後端部２１が挿入されているブレード保持溝３０および一対のエアーチューブ３６、３７が装着されているチューブ装着部が封鎖されている。よって、これらの部分に、異物が侵入して堆積してしまうことがない。また、カバーリングプレート６の前端部６１がドクターブレード２の裏面２ｂに圧接しているので、ドクターブレード２の裏面２ｂに沿ってブレードホルダー３の側に回り込む異物も、カバーリングプレート６の前端部６１によって、ブレードホルダー３の内部に侵入してしまうことが阻止される。このように、ドクターブレード２による異物掻き取り動作に影響を与えることなく、異物がブレードホルダー３の内部に侵入してしまうことを確実に防止できる。
【００３３】
この結果、ブレード保持溝３０内に異物が溜まってドクターブレード２の抜き差しが困難、あるいは不可能になるという弊害を回避できる。また、チューブ装着部の支軸３３の部分に異物が侵入して堆積してドクターブレード２の加圧あるいは開放操作を円滑に行うことができなくなる等の弊害も回避できる。
【００３４】
また、カバーリングプレート６の裏面（ロール５の側に向いている面）に異物が溜まった場合には、プレート保持溝７の端の開口端７１から横方向（ロール軸線方向）にカバーリングプレート６を引き抜いて異物を除去すればよい。また、カバーリングプレート６をドクター装置１の側方から、プレート保持溝７に差し込むことができる。よって、カバーリングプレート６の交換作業（取付け、取り外し作業）を簡単に行うことができる。
【００３５】
特に、本例では、カバーリングプレート６の後端部６２にガイド用突起９を取り付けてあるので、これらのガイド用突起９がプレート保持溝７に沿ってガイドされるので、カバーリングプレート６のプレート保持溝７に対する取付け、取り外しを簡単に行うことができる。
【００３６】
ここで、図３には、ステンレススチール製のカバーリングプレート６の代わりに、ゴム板製の可撓性のあるカバーリングプレート１０を取り付けたドクター装置１Ａを示してある。カバーリングプレート１０の後端部１１は、ブレードホルダー３のボトムプレート３４の前端部３４ａに取り付けられており、その前端部１２はフィンガー部材３２の前端部３２ａに取り付けられている。また、このカバーリングプレート１０の前端部１２の上面は、ブレード保持溝３０に挿入されたドクターブレード２の裏面２ｂにほぼ接する位置にある。ドクターブレード２をロール５の表面５１に圧接した状態では、ドクターブレード２の裏面２ｂにカバーリングプレート１０の端面が当接した状態が形成される。
【００３７】
この構成のカバーリングプレート１０を用いた場合にも上記のカバーリングプレート６を用いた場合と同様な効果を得ることができる。なお、カバーリングプレート１０は、ステンレススチールなどの金属製の板材、硬質プラスチックなどの板材などからなるカバーリングプレート６に比べて耐久性に欠け、使用場所に制約がある。
【符号の説明】
【００３８】
１、１Ａ  ドクター装置
２    ドクターブレード
２ａ  表面
２ｂ  裏面
２１  後端部
２２  刃先
３    ブレードホルダー
３０  ブレード保持溝
３１  トッププレート
３２  フィンガー部材
３３  支軸
３４  ボトムプレート
３４ａ  前端部
３５  支軸受け
３６  開放用エアーチューブ
３７  加圧用エアーチューブ
４    ドクターバック
４１  上面
４２  両端面
４３  軸部
５    ロール
５１  ロール表面
６    カバーリングプレート
６ｂ  裏面
６１  前端部
６２  後端部
７    プレート保持溝
７１  開口端
８    保持部材
８１  底板部分
８２  側板部分
８３  顎部
９    ガイド用突起
１０  カバーリングプレート
１１  後端部
１２  前端部
【図１】
2013079456.tif 000003
【図２】
2013079456.tif 000004
【図３】
2013079456.tif 000005
【図４】
2013079456.tif 000006